(57)【要約】電動機に可変パラメーターのＡＣ電力を供給するインバーター型駆動装置は、電子制御部（４０）と、各々完全な三相出力段を形成し、多重化方向（Ａ）に並んで配置されかつ保持装置（１４ａ、１４ｂ、１４ｃ）によって冷却用構造体（１０）にクランプされた一つ以上の同一電力モジュール（１１ａ、１１ｂ、１１ｃ）を備えた電力変換及び出力部とを有し、電力モジュール（１１ａ、１１ｂ、１１ｃ）が、導電性層（２０、２１、２７ａ、２７ｂ、２７ｃ）を介してＤＣ入力端子（２５、２６）及びＡＣ出力端子（３２、３３、３４）に並列に接続され、導電性層（２０、２１、２７ａ、２７ｂ、２７ｃ）のＤＣ接続シート（２０、２１）が、全ての電力モジュール（１１ａ、１１ｂ、１１ｃ）に一様で同時で低インピーダンスＤＣ電流供給を行うように、電力モジュール（１１ａ、１１ｂ、１１ｃ）でカバーされるほぼ全物理的表面積をカバーする。
2006512036.tif 000002
【特許請求の範囲】
【請求項１】
電子制御部（４０）と、電子制御部（４０）によって制御される電力変換及び出力部と、ＤＣ電源に接続する二つの入力端子（２５、２６）と、三相ＡＣ電力を電動機に供給する三つの出力端子（３２、３３、３４）とを有する、電動機に可変パラメーターのＡＣ電力を供給するインバーター型電動機駆動装置において、
電力変換及び出力部が、
各々完全な三相出力段を備えた一つ以上の同一電力モジュール（１１ａ−ｃ）を有し、
上記電力モジュール（１１ａ−ｃ）が、実際の電動機サイズの電力需要にあわせるため、適当な数で多重化されかつ並列に相互接続され、
上記電力モジュール（１１ａ−ｃ）が、冷却用構造体（１０）に多重化方向（Ａ）で並んで取り付けられ、それにより、電力モジュール（１１ａ−ｃ）の実際の数でカバーされた表面積にほぼ対応したある一定の表面積をカバーし、
上記電力モジュール（１１ａ−ｃ）が、互いに電気的に絶縁されかつ上記冷却用構造体（１０）とほぼ平行にのびて上記ある一定の表面積のほぼ全てをカバーする導電性層（２０、２１、２７ａ−ｃ）を介して上記ＤＣ入力端子（２５、２６）及び上記ＡＣ出力端子（３２、３３、３４）に接続される
ことを特徴とするインバーター型電動機駆動装置。
【請求項２】
上記導電性層の一つ（２７ａ−ｃ）が、上記電力モジュール（１１ａ−ｃ）を横切って上記多重化方向（Ａ）に互いに平行にのびかつ上記電力モジュール（１１ａ−ｃ）を上記ＡＣ出力端子（３２、３３、３４）に並列に接続する三つの別個のリード（２７ａ−ｃ）に分割されることを特徴とする請求項１に記載のインバーター型電動機駆動装置。
【請求項３】
上記導電性層（２０、２１、２７ａ−ｃ）の全てが別個の金属シートを有し、また、上記金属シート（２０、２１、２７ａ−ｃ）を上記電力モジュール（１１ａ−ｃ）に接続しかつ上記電力モジュール（１１ａ−ｃ）を上記冷却用構造体（１０）と物理的熱伝達接触するようにクランプするために多数の保持装置（１４）が設けられることを特徴とする請求項１又は２に記載のインバーター型電動機駆動装置。
【請求項４】
上記金属シートの二つ（２０、２１）が上記ＤＣ入力端子（２５、２６）に接続され、また上記電力モジュール（１１ａ−ｃ）が上記二つの金属シート（２０、２１）を介してコンデンサバンク（１３ａ−ｃ）に接続されることを特徴とする請求項３に記載のインバーター型電動機駆動装置。
【請求項５】
上記保持装置（１４）の各々が、クランピング部材（１６）と、上記電力モジュール（１１ａ−ｃ）から特定の距離に、各金属シート（２０、２１、２７ａ−ｃ）を配置する間隔部片（１５）とを有し、上記間隔部片（１５）が導電性であり、そして上記金属シート（２０、２１、２７ａ−ｃ）と上記電力モジュール（１１ａ−ｃ）との間の電気的及び熱的接触を確立するように機能することを特徴とする請求項３に記載のインバーター型電動機駆動装置。
【請求項６】
上記間隔部片（１５）の各々が金属管要素を備え、またクランピング部材（１６）の各々が上記金属管要素（１５）を軸線方向に通ってのびるねじを備えることを特徴とする請求項５に記載のインバーター型電動機駆動装置。
【請求項７】
上記電子制御部（４０）が、上記金属シート（２０、２１、２７ａ−ｃ）における開口を通ってのびる接触装置（４２）を介して上記金属シート（２０、２１、２７ａ−ｃ）に平行に且つ上記金属シート（２０、２１、２７ａ−ｃ）に対して離間した位置に上記電力モジュール（１１ａ−ｃ）の少なくとも一つによって支持された回路ボード（４１）を備えることを特徴とする請求項３〜６のいずれか一項に記載のインバーター型電動機駆動装置。
【請求項８】
上記金属シート（２０、２１、２７ａ−ｃ）が、上記金属シート（２０、２１、２７ａ−ｃ）の間に介在させた非導電性材料の別個の絶縁性シート（１９、３０）によって相互に絶縁され、また上記金属シート（２０、２１、２７ａ−ｃ）及び上記絶縁性シート（１９、３０）が、上記間隔部片（１５）及び上記クランピング部材（１６）によって積層体に配置され、固定されることを特徴とする請求項３、４のいずれか一項に記載のインバーター型電動機駆動装置。
【請求項９】
絶縁性材料の一つ以上のガイド要素（３６ａ−ｃ）が、上記金属シート（２０、２１、２７ａ−ｃ）及び上記絶縁性シート（１９、３０）における開口を貫通するスタッド部分（３７ａ−ｃ）を備え、それにより、上記冷却用構造体（１０）に上記積層体を取付ける際、上記クランピング部材（１６）及び上記間隔部片（１５）によって上記金属シート（２０、２１、２７ａ−ｃ）及び上記絶縁性シート（１９、３０）を最終的に固定する前に、上記金属シート（２０、２１、２７ａ−ｃ）及び上記絶縁性シート（１９、３０）を互いに配置することを特徴とする請求項８に記載のインバーター型電動機駆動装置。
【請求項１０】
上記導電性層（２０、２１、２７ａ−ｃ）が、別個の金属シート（２０、２１、２７ａ−ｃ）を有し、また上記ＤＣ入力端子（２５、２６）及び上記ＡＣ出力端子（３２、３３、３４）が上記多重化方向（Ａ）に対して上記金属シート（２０、２１、２７ａ−ｃ）の対向端部に配置されることを特徴とする請求項１又は２に記載のインバーター型電動機駆動装置。
【請求項１１】
信号バス手段（４４ａ、ｂ）が、上記多重化方向（Ａ）に上記電力モジュール（１１ａ−ｃ）を横切ってのび、そして上記電子制御部（４０）を上記電力モジュール（１１ａ−ｃ）の各々に接続して上記電子制御部（４０）と上記電力モジュール（１１ａ−ｃ）との間で信号を通信させることを特徴とする請求項１〜７のいずれか一項に記載のインバーター型電動機駆動装置。
【請求項１２】
上記信号バス手段（４４ａ、ｂ）が少なくとも一つの回路ボード（４４ａ、ｂ）を有することを特徴とする請求項１１に記載のインバーター型電動機駆動装置。
【発明の詳細な説明】
【技術分野】
【０００１】
本発明は、しばしば電動機の実際の動作状態に対して電動機に可変電流のＡＣ電力を供給するインバーター型電動機駆動装置に関するものであり、この駆動装置は、電子制御部と、ＤＣ端子を介して一端をＤＣ電源に接続され、またＡＣ端子を介して他端を電動機に接続された電力変換及び出力部とを有している。
【背景技術】
【０００２】
駆動装置を種々の電力出力需要、すなわち種々のサイズの電動機に容易に適応させるために、電力変換及び出力部は、並列に接続された一つ以上の同一電力モジュールを有し、それである一定の電動機サイズに対して適当な数の電力モジュールが選択される。
【０００３】
モジュラー型の電力変換及び出力部に関連した課題は、ＤＣ入力に対する及び互いに対するモジュールの位置に関係なく、全てのモジュールに一様でかつ同時のＤＣ電流供給に関して必ず高精度を得ることにある。
【発明の開示】
【発明が解決しようとする課題】
【０００４】
本発明の主目的は、一つ又は複数のモジュールに対するＤＣ電流供給が対称的にしかも極めて低いインピーダンスで行われる上記形式の改良されたインバーター型電動機駆動装置を提供することにある。
【０００５】
本発明の別の目的は、構造が簡単でしかも容易に組立られる上記形式のインバーター型駆動装置を提供することにある。
【０００６】
本発明のさらに別の目的は、電流損失から発生する熱が冷却用構造体に効果的に伝達される上記形式のインバーター型駆動装置を提供することにある。
【０００７】
本発明の別の特徴及び利点は明細書の以下の説明から明らかとなろう。添付図面を参照して本発明の好ましい実施形態について詳細に説明する。
【発明を実施するための最良の形態】
【０００８】
図面に示すインバーター型電動機駆動装置は、例えばバッテリー給電型トラックに用いるのに適しており、アルミニウム合金の取付け及び冷却用構造体１０を有し、この構造体１０に三つの同一電力モジュール１１ａ、１１ｂ、１１ｃが担持されている。これらの電力モジュール１１ａ、１１ｂ、１１ｃは電力変換及び出力部を形成している。三つの電力モジュール１１ａ、１１ｂ、１１ｃは冷却用構造体１０に並んで配置され、そしてある一定のサイズの電動機にＡＣ電力を供給するようにされる。各電力モジュール１１ａ、１１ｂ、１１ｃは完全な三相出力段を形成している。
【０００９】
駆動装置は、電力モジュールの数を変えることにより、電力需要の比較的小さい又は大きい比較的小型の又は大型の電動機に容易に適用することができる。比較的大型の電動機の場合には、モジュールの数は、冷却用構造体１０上に、多重化方向Ａに並べて並列に一つ以上の同一モジュールを加えるようにして増やすことができる。図１及び図２の矢印参照。比較的小型の電動機の場合には一つ又は二つの電力モジュールが外される。従って、電力モジュール１１ａ、１１ｂ、１１ｃは、適当な数で多重化され、そして実際の電動機サイズの電力需要を満たすように並置される。電力モジュール１１ａ、１１ｂ、１１ｃの特殊な並置は、以下に説明するように全ての電力モジュール１１ａ、１１ｂ、１１ｃに対して有利な電流配分を得るために重要である。
【００１０】
この駆動装置で駆動するのに適した電動機の形式は、非同期電動機、永久磁石電動機及びリラクタンス電動機である。
【００１１】
各電力モジュール１１ａ、１１ｂ、１１ｃは導電性基板１２ａ、１２ｂ、１２ｃを有し、各導電性基板は、入力ＤＣ電流を三相ＡＣ出力電流に変換する多数の電力スイッチ（図示していない）を担持している。各電力モジュール１１ａ、１１ｂ、１１ｃには、コンデンサバンク１３ａ、１３ｂ、１３ｃが設けられ、各コンデンサバンクは熱伝達するための冷却用構造体１０にしっかりと取付けられる。基板１２ａ、１２ｂ、１２ｃはまた、保持装置１４によって冷却用構造体１０と熱伝達接触するように緊締される。各保持装置１４は管状間隔部片１５とクランピングねじ１６とから成り、クランピングねじ１６は管状間隔部片１５を通ってのび、そして冷却用構造体１０にねじ止めされる。図４参照。管状間隔部片１５は、導電性シート２０、２１、２７ａ、２７ｂ、２７ｃと電力モジュール１１ａ、１１ｂ、１１ｃとの間で電流及び熱を伝導する金属材料で構成される。
【００１２】
この形式の基板構造は米国特許第５，７１５，１４１号に記載されている。
【００１３】
電力モジュール１１ａ、１１ｂ、１１ｃをＤＣ入力に接続するために、金属シート２０、２１の形態の二つの導電性層が設けられる。これらの金属シート２０、２１は、金属シート２０、２１のＺ型部分２２ａ、２２ｂを介して覆われるコンデンサバンク１３ａ、１３ｂ、１３ｃを含む三つの電力モジュール１３ａ、１３ｂ、１３ｃの全てによって物理的に占められた表面積をカバーするサイズを有する。
【００１４】
二つの金属シート２０、２１の間には、非導電性シート１９の形態の絶縁性層が設けられている。導電性シートの一方２０は正のＤＣ極用の接続ピラー２５を支持し、他方の導電性シート２１は負のＤＣ極用の別の接続ピラー２６を支持している。Ｚ型部分２２ａ、２２ｂにおける特定の形状の接続部分２３ａ、２３ｂ、２３ｃ、２４ａ、２４ｂ、２４ｃ（詳細には説明しない）によって、各コンデンサバンク１３ａ、１３ｂ、１３ｃの一方の極に対する一方のシート２０の適切な接続、及び各コンデンサバンク１３ａ、１３ｂ、１３ｃの他方の極に対する他方のシート２１の接続が得られる。三つの並列金属シート２７ａ、２７ｂ、２７ｃの形態の第３の導電性層は絶縁性シート３０によって他のシートから分離され、そして電力モジュール１１ａ、１１ｂ、１１ｃに接続される。これらの並列金属シート２７ａ、２７ｂ、２７ｃには、三相出力ＡＣ電流を駆動すべき電動機に供給する接続ピラー３２、３３、３４が設けられる。図６参照。
【００１５】
電力モジュール基板１２ａ、１２ｂ、１２ｃに導電性シート２０、２１、２７を簡単かつ迅速にしかも正確に取付けるために、各電力モジュールに一つずつ、絶縁性材料の三つのガイド要素３６ａ、３６ｂ、３６ｃが設けられる。図４に見られ得るように、各ガイド要素３６ａ、３６ｂ、３６ｃには、段状の下向きスタッド部分３７ａ、３７ｂ、３７ｃが設けられ、これらのスタッド部分３７ａ、３７ｂ、３７ｃは全ての導電性及び絶縁性シートにおける整合するサイズの開口に摩擦で受けられるようにされる。このことは、全ての導電性及び非導電性シートを、これらのガイド要素３６ａ、３６ｂ、３６ｃによって積層体に予め組立て、そして基板１２ａ、１２ｂ、１２ｃ及び冷却用構造体１０上に副組立体として取付けできることを意味している。このことは、実質的に改善された組立技術を意味している。
【００１６】
大きな面積の導電性シート２０、２１を介して電力モジュールに対するＤＣ接続部を設けることによって、全ての電力モジュール１１ａ、１１ｂ、１１ｃに一様で同時にＤＣ電流を供給でき、ＤＣ電流は、接続ピラー２５、２６に対する距離に関係なしに対称的に電力モジュール１１ａ、１１ｂ、１１ｃに供給され、しかも非常に低いインピーダンスで行われる。これはまた、各並列電力モジュール１１ａ、１１ｂ、１１ｃと対応したコンデンサバンク１３ａ、１３ｂ、１３ｃとの間の対称的な電流パスを意味する。
【００１７】
駆動装置はさらに電子制御部４０を有し、この電子制御部４０は電子構成要素（図示していない）を備えた回路ボード４１を有し、そしてコネクターピン装置４２によって電力モジュール１１ａ、１１ｂ、１１ｃ上に取付けられる。電子制御部４０の回路ボード４１は、駆動装置の多重化方向Ａにのびる二つの細長い回路ボード型の信号バス４４ａ、４４ｂを介して電力モジュール１１ａ、１１ｂ、１１ｃに接続される。この形式の信号バスは、制御部４０と電力モジュール１１ａ、１１ｂ、１１ｃとの間の一様で同時の通信を行うために低抵抗及び低インピーダンスである。
【００１８】
図４に例示したように、保持装置１４は、基板１２ａ、１２ｂ、１２ｃから異なる距離に配置した異なる導電性シート２０、２１、２７ａ、２７ｂ、２７ｃと電気的かつ熱的接触を得るために異なる長さの間隔部片１５を備えている。電力モジュール基板１２ａ、１２ｂ、１２ｃに対してシートの積層体を適切に保持すること以外に、間隔部片１５は、導電性シート２０、２１、２７ａ、２７ｂ、２７ｃと基板１２ａ、１２ｂ、１２ｃとの間で電流を導き、またシートに生じた熱を伝達するのに有効である。保持装置１４はまた、基板１２ａ、１２ｂ、１２ｃを、冷却用構造体１０と熱伝導接触するように緊締する。
【００１９】
本発明によるモジュラー駆動装置構造は、種々のサイズの電動機に出力容量を適用する際に簡単化できる。このことは、適当な数の同一の電力モジュール１１ａ、１１ｂ、１１ｃを選択して実際の電動機サイズの電力需要を満たすようにすることを意味している。しかし、導電性及び非導電性シートは、実際の数の電力モジュールにサイズを適合させる必要がある。また、信号バス４４ａ、４４ｂは、実際の数の電力モジュール及び電力モジュール１１ａ、１１ｂ、１１ｃでカバーされた表面積の総体サイズに長さを適合させる必要がある。
【００２０】
実際の使用において、駆動装置は図示していない保護フードを備え、ＤＣ端子ピラー２５、２６及びＡＣ出力ピラー３２、３３、３４はケーブル接続のためフードを通してのびる。
【図面の簡単な説明】
【００２１】
【図１】本発明による電動機駆動装置を示す端面図。
【図２】図１における電動機駆動装置の上面図。
【図３】図１における電動機駆動装置の側面図。
【図４】図１における電動機駆動装置の拡大詳細図。
【図５】積層型の電力モジュール接続シートを示す斜視図。
【図６】接続シート、絶縁シート及びガイド要素の展開図。
【図１】
2006512036.tif 000003
【図２】
2006512036.tif 000004
【図３】
2006512036.tif 000005
【図４】
2006512036.tif 000006
【図５】
2006512036.tif 000007
【図６】
2006512036.tif 000008
【国際調査報告】
2006512036.tif 000009
2006512036.tif 000010